(57)【要約】【課題】縦枠の見付面側にカバー材が配置されていることから意匠性が高い上に、遮炎性能の高い開口部装置を提供すること。【解決手段】固定上枠２１、固定下枠２２、吊元側の固定縦枠２３及び戸先側の固定縦枠２４により枠組みされた固定枠体２０と、固定枠体２０内に嵌め込まれる戸体４と、を備える開口部装置１であって、固定縦枠２３，２４は、固定縦枠本体２３１，２４１と、固定縦枠本体２３１，２４１の見付面を覆う固定縦枠カバー材２３２，２４２と、を有し、固定縦枠本体２３１，２４１の長手方向の端部は、固定縦枠カバー材２３２，２４２の長手方向の端部より見付方向外側に配置される。【選択図】図５
2015221997.tif 000002
【特許請求の範囲】
【請求項１】
左右の縦枠と上下の横枠により枠組みされた枠体と、該枠体内に嵌め込まれる戸体と、を備える開口部装置であって、
前記左右の縦枠及び前記上下の横枠のうち少なくとも一つは、枠本体と、前記枠本体の見付面を覆うカバー材と、を有し、
前記枠本体の長手方向の端部は、前記カバー材の長手方向の端部より見付方向外側に配置される開口部装置。
【請求項２】
前記左右の縦枠及び前記上下の横枠のうち少なくとも一つは、前記枠本体の長手方向の端部に、前記カバー材の長手方向の端面に当接するスペーサを更に有し、
前記スペーサは、加熱時に前記カバー材の伸びを許容するように構成される請求項１記載の開口部装置。
【請求項３】
前記スペーサは、前記枠本体の端部の形状に嵌合する形状を有し且つ前記枠本体の端部に嵌合して固定される請求項２記載の開口部装置。
【請求項４】
前記スペーサは、前記枠本体の長手方向に貫通する孔部を有する請求項２又は３記載の開口部装置。
【発明の詳細な説明】
【技術分野】
【０００１】
本発明は、開口部装置に関する。
【背景技術】
【０００２】
従来、ドア等の開口部装置において、枠体の見付面側に板状のカバー材を配置する場合がある（例えば、特許文献１参照）。ホロー形状の枠よりも、カバー材を有する枠体の方が、開口部に固定するためのネジ等をカバー材によって覆い隠すことができるため意匠性が高い。
【先行技術文献】
【特許文献】
【０００３】
【特許文献１】特開２０１４−５５４６６号公報
【発明の概要】
【発明が解決しようとする課題】
【０００４】
ところで、ドア等の開口部装置には、高い遮炎性能が求められる。枠体がカバー材を備える開口部装置の場合、カバー材は外部に晒されていることから火災時に枠本体よりも伸びて変形しやすいので、カバー材と枠体の本体との間に隙間が生じ、本体から脱落してしまう場合がある。カバー材と枠体の本体との間に隙間ができると、あるいはカバー材が枠体の本体から脱落すると、開口部装置の遮炎性能が低下する。
【０００５】
本発明は、上記課題に鑑みてなされたものであり、縦枠の見付面側にカバー材が配置されていることから意匠性が高い上に、遮炎性能の高い開口部装置を提供することを目的とする。
【課題を解決するための手段】
【０００６】
上記目的を達成するため本発明は、左右の縦枠（例えば、後述の吊元側の固定縦枠２３及び戸先側の固定縦枠２４）と上下の横枠（例えば、後述の固定上枠２１及び固定下枠２２）により枠組みされた枠体（例えば、後述の固定枠体２０）と、該枠体内に嵌め込まれる戸体（例えば、後述の戸体４）と、を備える開口部装置（例えば、後述の開口部装置１）であって、前記左右の縦枠及び前記上下の横枠のうち少なくとも一つ（例えば、後述の吊元側の固定縦枠２３、戸先側の固定縦枠２４）は、枠本体（例えば、後述の固定縦枠本体２３１，２４１）と、前記枠本体の見付面を覆うカバー材（例えば、後述の固定縦枠カバー材２３２，２４２）と、を有し、前記枠本体の長手方向の端部は、前記カバー材の長手方向の端部より見付方向外側に配置される開口部装置を提供する。
【０００７】
本発明では、枠本体の長手方向の端部を、カバー材の長手方向の端部より見付方向外側に配置する。これにより、火災時にカバー材が加熱されて長手方向に伸びたとしても、枠本体の端部とカバー材の端部との間にカバー材の伸びを許容するスペースがあることから、カバー材が変形し難くなる。カバー材の変形を抑えれば、カバー材と枠本体との間に隙間が生じてカバー材が枠本体から脱落することによって、開口部装置の遮炎性が低下するのを抑えることができる。従って、本発明によれば、カバー材が配置されていることから意匠性が高い上に、遮炎性能の高い開口部装置を提供することができる。
【０００８】
また、前記左右の縦枠及び前記上下の横枠のうち少なくとも一つは、前記枠本体の長手方向の端部に、前記カバー材の長手方向の端面に当接するスペーサ（例えば、後述のスペーサ２３５，２４５）を更に有し、前記スペーサは、加熱時に前記カバー材の伸びを許容するように構成されることが好ましい。
【０００９】
また、前記スペーサは、前記枠本体の端部の形状に嵌合する形状を有し且つ前記枠本体の端部に嵌合して固定されることが好ましい。
【００１０】
また、前記スペーサは、前記枠本体の長手方向に貫通する孔部（例えば、後述の孔部２４５ｂ，２４５ｃ）を有することが好ましい。
【発明の効果】
【００１１】
本発明によれば、縦枠の見付面側にカバー材が配置されていることから意匠性が高い上に、遮炎性能の高い開口部装置を提供することができる。
【図面の簡単な説明】
【００１２】
【図１】本発明の一実施形態に係る開口部装置を屋外側から見た姿図である。
【図２】上記実施形態に係る開口部装置を屋内側から見た姿図である。
【図３】上記実施形態に係る開口部装置の縦断面図である。
【図４】上記実施形態に係る開口部装置の横断面図である。
【図５】上記実施形態に係る開口部装置の固定縦枠の斜視図である。
【図６】上記実施形態に係る開口部装置の固定縦枠の分解斜視図である。
【図７】上記実施形態に係る開口部装置の固定縦枠の分解正面図である。
【図８】上記実施形態に係る開口部装置の固定縦枠の平面図である。
【発明を実施するための形態】
【００１３】
以下、本発明の一実施形態について、図面を参照しながら詳しく説明する。なお、本明細書において、「見付方向」とは、建物に形成された開口部に納められた開口部装置における障子の面方向を意味し、「見込方向」とは、上記障子の厚さ方向を意味する。
【００１４】
図１は、本実施形態に係る開口部装置１を屋外側から見た姿図である。図２は、本実施形態に係る開口部装置１を屋内側から見た姿図である。開口部装置１は、勝手口ドア等のドアである。
開口部装置１は、建物に形成された開口に納められる。開口部装置１は、建物の開口に取り付けられる固定枠体２０と、固定枠体２０に開閉可能に嵌め込まれる戸体４と、を備える。
【００１５】
固定枠体２０は、上下の横枠としての固定上枠２１及び固定下枠２２と、左右の縦枠としての吊元側の固定縦枠２３及び戸先側の固定縦枠２４により矩形に枠組みされる。なお、後段で詳述するが、吊元側の固定縦枠２３及び戸先側の固定縦枠２４は、それぞれの上下に配置されるスペーサ２３５，２４５を有する。スペーサ２３５，２４５は、それぞれ後述する固定上枠カバー材２１２又は固定下枠カバー材２２２によって覆われるので、外から視認することはできない。
戸体４は、スイング框体４０と、スイング框体４０に嵌め込まれる上障子５及び下障子６と、上障子５及び下障子６の屋外側に配置される格子７と、を備える。
【００１６】
スイング框体４０は、上下の横枠としてのスイング上框４１及びスイング下框４２と、左右の縦框としての吊元側のスイング縦框４３及び戸先側のスイング縦框４４により矩形に枠組みされる。
スイング上框４１は、戸体４の幅方向（左右方向）の中心よりも吊元側に寄って配置されるドアクローザ４１ｄを有する。ドアクローザ４１ｄは、固定上枠２１とスイング上框４１とを連結し且つ戸体４を自動的に閉じる。
戸先側のスイング縦框４４は、高さ方向の略中央部にドアノブ８ａを備える（図１及び図２）。また、戸先側のスイング縦框４４は、図２に示すように、屋内側のドアノブ８ａの上下に配置される錠の開閉を行うためのサムターン８ｂ，８ｃを備える。サムターン８ｂ，８ｃを回転させることで、デットボルト（図１及び図２において図示しない）を操作して開口部装置１を施錠できる。なお、開口部装置１は、屋外側にシリンダーが配置されないシリンダーレス仕様のドアである（図１）。
【００１７】
上障子５は、框体５０と、框体５０に嵌め込まれて固定されたガラス５５と、を備える。框体５０は、上框５１と、下框５２と、吊元側の縦框５３及び戸先側の縦框５４と、により矩形に框組みされる。
下障子６は、框体６０と、框体６０に嵌め込まれて固定されたガラス６５と、を備える。框体６０は、上框６１と、下框６２と、吊元側の縦框６３及び戸先側の縦框６４と、により矩形に框組みされる。
【００１８】
開口部装置１は、スイング縦框４３及びスイング縦框４４に沿って、上障子５を下方向に、下障子６を上方向にそれぞれ移動させて屋外と屋内とを連通させて採風することができる。框体６０の上框６１は、戸先側と吊元側の両端に配置され、下障子６を閉鎖状態に固定するためのスライドロック８ｄを有する。
【００１９】
戸体４は、屋内側からドアノブ８ａを把持して反時計回り回動し、ラッチボルト（図示しない）を操作しつつ、戸先側のスイング縦框４４を屋外側に押し出して、戸体４をピポットヒンジ（図示しない）の軸芯の回りに回動させることで開放することができる。
【００２０】
図３は、本実施形態に係る開口部装置１の吊元側から見た縦断面図である。
建物は、外壁材１１と、内壁材１２と、開口部の四周に渡って設けられた内装材１３と、を有する。また、建物は、外壁材１１と内壁材１２との間の開口部に沿って配置されたフレーム材１４を有する。
【００２１】
図３に示すように、ガラス５５は、屋内側の板ガラス５５１と、屋外側の板ガラス５５２と、これら２枚の板ガラスで挟持されたスペーサ５５３と、を備える複層ガラスであり、優れた断熱性を有する。ガラス６５も、屋内側の板ガラス６５１と、屋外側の板ガラス６５２と、これら２枚の板ガラスで挟持されたスペーサ６５３と、を備える複層ガラスであり、優れた断熱性を有する。
【００２２】
なお、開口部装置１は、ガラス５５及びガラス６５の屋外側に配置される網９を有する。網９は、上障子５を下方向に、下障子６を上方向にそれぞれ移動させて屋外と屋内とを連通させた際に、虫等が屋内に侵入するのを防ぐ。
図３においては、上障子５及び下障子６の屋外側に配置される格子７の断面については示していない。
【００２３】
固定上枠２１は、固定上枠本体２１１と、固定上枠本体２１１の屋外側の見付面を覆う固定上枠カバー材２１２と、を有する。固定上枠本体２１１は、屋外側に配置される固定金属上枠２１３と、固定金属上枠２１３の屋内側に配置される固定樹脂上枠２１４と、を含んで構成される。
【００２４】
固定金属上枠２１３は、中空部を有するホロー構造であり、ネジ１５１によって屋外側からフレーム材１４に固定される。固定金属上枠２１３は、屋内側の端部から略鉛直方向に延出して形成された固定金属上枠垂設部２１３ａを有する。固定樹脂上枠２１４は、固定金属上枠垂設部２１３ａの屋内側に取り付けられる。固定金属上枠垂設部２１３ａの下端の屋外側には、気密材２１３ｂが取り付けられる。
固定上枠カバー材２１２は、ネジ１５１が屋外側から視認されることを防ぐことで、開口部装置１の意匠性を向上させる。
【００２５】
固定金属上枠２１３及び固定上枠カバー材２１２は、例えばアルミニウムで構成される。より具体的には、固定金属上枠２１３及び固定上枠カバー材２１２は、アルミニウムを押出成形することで得られる。
固定樹脂上枠２１４は、例えば塩化ビニル樹脂等の合成樹脂で構成される。より具体的には、固定樹脂上枠２１４は、塩化ビニル樹脂等の合成樹脂を押出成形することで得られる。
【００２６】
スイング上框４１は、スイング金属上框４１１と、スイング金属上框４１１の屋内側に配置されるスイング樹脂上框４１２と、スイング金属上框４１１の屋外側に配置される格子上縁４１３と、を含んで構成される。
【００２７】
スイング金属上框４１１は、中空部を有するホロー構造である。スイング金属上框４１１は、屋外側の端部から略鉛直方向に延出して形成されたスイング金属上框垂設部４１１ａを有する。スイング金属上框垂設部４１１ａの下端の屋内側には、気密材４１１ｂが取り付けられる。スイング樹脂上框４１２は、屋内側の端部から略鉛直方向に延出して形成されたスイング樹脂上框垂設部４１２ａを有する。スイング樹脂上框垂設部４１２ａの下端の屋内側には、モヘア部材４１２ｂが取り付けられる。スイング樹脂上框４１２は、屋内側において気密材２１３ｂと当接する。格子上縁４１３は、スイング金属上框垂設部４１１ａの屋外側に取り付けられる。格子上縁４１３は、網９の上端を保持する。スイング上框４１は、スイング金属上框垂設部４１１ａ及びスイング樹脂上框垂設部４１２ａによって形成される下方に開放した溝４１ａを有する。
【００２８】
スイング金属上框４１１及び格子上縁４１３は、例えばアルミニウムで構成される。より具体的には、スイング金属上框４１１及び格子上縁４１３は、アルミニウムを押出成形することで得られる。
スイング樹脂上框４１２は、例えば塩化ビニル樹脂等の合成樹脂で構成される。より具体的には、スイング樹脂上框４１２は、塩化ビニル樹脂等の合成樹脂を押出成形することで得られる。
【００２９】
上框５１は、金属上框５１１を含んで構成される。金属上框５１１は、屋外側において気密材４１１ｂと当接する。また、金属上框５１１は、屋内側において、モヘア部材４１２ｂに当接する。上框５１は、下方に開口して形成される溝５１ａを有し、ガスケット５１ｂを介してガラス５５の上端縁を挟持する。
【００３０】
下框５２は、金属下框５２１を含んで構成される。下框５２は、上方に開口して形成される溝５２ａを有し、ガスケット５２ｂを介してガラス５５の下端縁を挟持する。
【００３１】
金属上框５１１及び金属下框５２１は、例えばアルミニウムで構成される。より具体的には、金属上框５１１及び金属下框５２１は、アルミニウムを押出成形することで得られる。
【００３２】
上框６１は、金属上框６１１と、金属上框６１１の屋内側に配置される樹脂上框６１２と、を含んで構成される。金属上框６１１は、屋内側の端部から略鉛直方向に延出した金属上框立設部６１１ａを有する。樹脂上框６１２は、金属上框立設部６１１ａの屋内側に係合される。樹脂上框６１２は、下障子６を屋内側に引いてから引き上げるための取手としての役割を有する。上框６１は、下方に開口して形成される溝６１ａを有し、ガスケット６１ｂを介してガラス６５の上端縁を挟持する。
【００３３】
下框６２は、金属下框６２１と、金属下框６２１の屋内側に配置される樹脂下框６２２と、を含んで構成される。樹脂下框６２２は、金属下框６２１の屋内側に係合される。下框６２は、上方に開口して形成される溝６２ａを有し、ガスケット６２ｂを介してガラス６５の下端縁を挟持する。
【００３４】
金属上框６１１及び金属下框６２１は、例えばアルミニウムで構成される。より具体的には、金属上框６１１及び金属下框６２１は、アルミニウムを押出成形することで得られる。
樹脂上框６１２及び樹脂下框６２２は、例えば塩化ビニル樹脂等の合成樹脂で構成される。より具体的には、樹脂上框６１２及び樹脂下框６２２は、塩化ビニル樹脂等の合成樹脂を押出成形することで得られる。
【００３５】
スイング下框４２は、スイング金属下框４２１と、スイング金属下框４２１の屋内側に配置されるスイング樹脂下框４２２と、スイング金属下框４２１の屋外側に配置される格子下縁４２３と、を含んで構成される。
【００３６】
スイング金属下框４２１は、中空部を有するホロー構造である。スイング金属下框４２１は、屋外側の端部から略鉛直方向に延出して形成されたスイング金属下框立設部４２１ａを有する。スイング金属下框立設部４２１ａの上端の屋内側には、気密材４２１ｂが取り付けられる。気密材４２１ｂは、金属下框６２１の屋外側と当接する。スイング樹脂下框４２２は、屋内側の端部から略鉛直方向に延出して形成されたスイング樹脂下框立設部４２２ａを有する。スイング下框４２は、スイング金属下框立設部４２１ａ及びスイング樹脂下框立設部４２２ａによって形成される上方に開放した溝４２ａを有する。
また、スイング下框４２の溝４２ａの底部には、気密材４２ｂが取り付けられる。気密材４２ｂは、金属下框６２１の下端に当接する。
格子下縁４２３は、スイング金属下框立設部４２１ａの屋外側に取り付けられる。格子下縁４２３は、網９の下端を保持する。
【００３７】
スイング金属下框４２１及び格子下縁４２３は、例えばアルミニウムで構成される。より具体的には、スイング金属下框４２１及び格子下縁４２３は、アルミニウムを押出成形することで得られる。
スイング樹脂下框４２２は、例えば塩化ビニル樹脂等の合成樹脂で構成される。より具体的には、スイング樹脂下框４２２は、塩化ビニル樹脂等の合成樹脂を押出成形することで得られる。
【００３８】
固定下枠２２は、固定下枠本体２２１と、固定下枠本体２２１の屋外側の見付面を覆う固定下枠カバー材２２２と、を有する。固定下枠本体２２１は、屋外側に配置される固定金属下枠２２３と、固定金属下枠２２３の屋内側に配置される固定樹脂下枠２２４と、を含んで構成される。
【００３９】
固定金属下枠２２３は、中空部を有するホロー構造であり、ネジ１５２によって屋外側からフレーム材１４に固定される。固定金属下枠２２３は、屋内側の端部から略鉛直方向に延出して形成された固定金属下枠立設部２２３ａを有する。固定樹脂下枠２２４は、固定金属下枠立設部２２３ａの上側に取り付けられる。固定樹脂下枠２２４の屋外側には、気密材２２４ａが取り付けられる。気密材２２４ａは、スイング樹脂下框４２２に当接する。
固定下枠カバー材２２２は、ネジ１５２が屋外側から視認されることを防ぐことで、開口部装置１の意匠性を向上させる。
【００４０】
固定金属下枠２２３及び固定下枠カバー材２２２は、例えばアルミニウムで構成される。より具体的には、固定金属下枠２２３及び固定下枠カバー材２２２は、アルミニウムを押出成形することで得られる。
固定樹脂下枠２２４は、例えば塩化ビニル樹脂等の合成樹脂で構成される。より具体的には、固定樹脂下枠２２４は、塩化ビニル樹脂等の合成樹脂を押出成形することで得られる。
【００４１】
図４は、本実施形態に係る開口部装置１の横断面図である。図４は、上障子５が嵌め込まれた部分における横断面図である。なお、図４においても、上障子５の屋外側に配置される格子７の断面については示していない。
【００４２】
吊元側の固定縦枠２３は、固定縦枠本体２３１と、固定縦枠本体２３１の屋外側の見付面を覆う固定縦枠カバー材２３２と、を有する。固定縦枠本体２３１は、屋外側に配置される固定金属縦枠２３３と、固定金属縦枠２３３の屋内側に配置される固定樹脂縦枠２３４と、を含んで構成される。
【００４３】
固定金属縦枠２３３は、中空部を有するホロー構造であり、ネジ１５３によって屋外側からフレーム材１４固定される。固定金属縦枠２３３は、屋内側の端部から戸先側に延出して形成された固定金属縦枠横設部２３３ａを有する。固定樹脂縦枠２３４は、固定金属縦枠横設部２３３ａに取り付けられる。固定樹脂縦枠２３４の先端の屋外側には、気密材２３４ａが取り付けられる。
固定縦枠カバー材２３２は、ネジ１５３が屋外側から視認されることを防ぐことで、開口部装置１の意匠性を向上させる。
【００４４】
固定金属縦枠２３３及び固定縦枠カバー材２３２は、例えばアルミニウムで構成される。より具体的には、固定金属縦枠２３３及び固定縦枠カバー材２３２は、アルミニウムを押出成形することで得られる。
固定樹脂縦枠２３４は、例えば塩化ビニル樹脂等の合成樹脂で構成される。より具体的には、固定樹脂縦枠２３４は、塩化ビニル樹脂等の合成樹脂を押出成形することで得られる。
【００４５】
吊元側のスイング縦框４３は、スイング金属縦框４３１と、スイング金属縦框４３１の屋内側に配置されるスイング樹脂縦框４３２と、スイング金属縦框４３１の屋外側に配置される格子縦縁４３３と、を含んで構成される。
【００４６】
スイング金属縦框４３１は、中空部を有するホロー構造である。スイング金属縦框４３１は、屋外側の端部から戸先側に延出して形成されたスイング金属縦框横設部４３１ａを有する。スイング金属縦框横設部４３１ａの先端の屋内側には、気密材４３１ｂが取り付けられる。格子縦縁４３３は、スイング金属縦框横設部４３１ａの屋外側に取り付けられる。格子縦縁４３３は、網９の側端を保持する。
スイング縦框４３は、スイング金属縦框横設部４３１ａ及びスイング樹脂縦框４３２の戸先側の部分によって形成され戸先側に開放した溝４３ａを有する。
【００４７】
なお、スイング縦框４３は、スイング樹脂縦框４３２によって溝４３ａよりも屋内側に形成され且つ戸先側に開放した溝４３ｂを有する。溝４３ｂは、図４においては図示しない下障子６を上方向に移動させる際、また上方向に移動させた下障子６を元の状態に戻す際に、下障子６の吊元側の縦框６３から突出したガイド（図示しない）を案内する。
【００４８】
更に、吊元側のスイング縦框４３は、溝４３ａの内部に配置される滑車４３ｃを有する。滑車４３ｃは、上障子５及び下障子６を繋ぐ図示しないワイヤが引っ掛けられる。これにより、上障子５及び下障子６が連動することが可能になる。
吊元側のスイング縦框４３は、上部及び下部に配置されるピボットヒンジの軸芯を有する。
【００４９】
スイング金属縦框４３１及び格子縦縁４３３は、例えばアルミニウムで構成される。より具体的には、スイング金属縦框４３１及び格子縦縁４３３は、アルミニウムを押出成形することで得られる。
スイング樹脂縦框４３２は、例えば塩化ビニル樹脂等の合成樹脂で構成される。より具体的には、スイング樹脂縦框４３２は、塩化ビニル樹脂等の合成樹脂を押出成形することで得られる。
【００５０】
縦框５３は、金属縦框５３１と、金属縦框５３１の屋内側に配置される樹脂縦框５３２と、を含んで構成される。金属縦框５３１は、屋外側において気密材４３１ｂと当接する。樹脂縦框５３２は、吊元側に配置され且つ先端がスイング樹脂縦框４３２に当接するモヘア部材５３２ａを有する。縦框５３は、戸先側に開口して形成される溝５３ａを有し、ガスケット５３ｂを介してガラス５５の側端縁を挟持する。
【００５１】
更に、縦框５３は、吊元側に突出したガイド５３３を有する。ガイド５３３は、上障子５を下方向に移動させる際、また下方向に移動させた上障子５を元の状態に戻す際に、溝４３ａによって案内される。
【００５２】
金属縦框５３１は、例えばアルミニウムで構成される。より具体的には、金属縦框５３１は、アルミニウムを押出成形することで得られる。
樹脂縦框５３２は、例えば塩化ビニル樹脂等の合成樹脂で構成される。より具体的には、樹脂縦框５３２は、塩化ビニル樹脂等の合成樹脂を押出成形することで得られる。
【００５３】
ドアノブ８ａは、戸先側のスイング縦框４４を貫通して配置される。
サムターン８ｂは、デットボルト８ｅを見付方向に進退させる。
【００５４】
戸先側の固定縦枠２４、スイング縦框４４、縦框５４については、それぞれ吊元側の固定縦枠２３、スイング縦框４３、縦框５３と同様の構成については対応する符号を付して説明を省略し、異なる構成について説明する。
【００５５】
戸先側の固定縦枠２４は、デットボルト８ｅの挿入される受け部８ｆを有する。また、戸先側の固定縦枠２４は、ドアノブ８ａによって操作される図示しないラッチボルトの受け部と、サムターン８ｃによって操作される図示しないデットボルトの受け部も有する。
【００５６】
以上説明したように、本実施形態に係る開口部装置１における固定枠体２０、スイング框体４０、框体５０及び框体６０は、屋外側が主に金属製の部材によって構成され、屋内側が主に樹脂製の部材によって構成される。従って、開口部装置１は断熱性が高い。
【００５７】
続いて、本実施形態に係る開口部装置１の固定縦枠について詳細に説明する。上記のように、吊元側の固定縦枠２３と戸先側の固定縦枠２４とは同様の構成であるので、戸先側の固定縦枠２４についてのみ詳細に説明する。
【００５８】
図５は、戸先側の固定縦枠２４の斜視図である。図５は、固定縦枠２４の上端を拡大した斜視図である。固定縦枠２４の下端は、固定縦枠２４の上端と対称な構造になっている。
図５に示すように、固定縦枠２４は、固定縦枠本体２４１（固定金属縦枠２４３）と、固定縦枠カバー材２４２と、スペーサ２４５と、蓋部材２４６と、を有する。
【００５９】
固定縦枠カバー材２４２は、固定縦枠本体２４１の屋外側の見付面を覆う。スペーサ２４５は、固定縦枠本体２４１の長手方向（高さ方向）の端部に配置され且つ固定縦枠カバー材２４２の長手方向（高さ方向）の端面に当接する。蓋部材２４６は、スペーサ２４５の固定縦枠カバー材２４２と当接する側とは逆側に配置される。蓋部材２４６は、締結部材としてのネジ２４７によって固定縦枠本体２４１に固定される。
【００６０】
スペーサ２４５は、加熱時に固定縦枠カバー材２４２の長手方向（高さ方向）への伸びを許容するように構成される。スペーサ２４５は、加熱されることで軟化、溶融、消失又は発泡する物質からなることが好ましい。軟化、溶融、消失又は発泡する物質としては、塩化ビニル樹脂等の合成樹脂や天然樹脂、ＳＢＲ等の合成ゴムや天然ゴムを挙げることができる。
また、スペーサ２４５として、エポキシ系樹脂等からなる加熱発泡材からなるスペーサを用いてもよい。
【００６１】
図６は、図５に示した固定縦枠２４の分解斜視図である。
固定縦枠カバー材２４２は、矩形板状のカバー材本体部２４２ａと、矩形板状のカバー材本体部２４２ａの屋内側の面から延出する一対の係合部２４２ｂと、を有する。
【００６２】
固定縦枠本体２４１（固定金属縦枠２４３）は、固定縦枠カバー材２４２の取り付けられる取付部２４１ａを有する。取付部２４１ａは、平面視において見付方向（左右方向）に延びて形成される。取付部２４１ａは、見付方向の両端部において屈曲して内側に延出し且つ係合部２４２ｂが係合される一対の被係合部２４１ｂを有する。被係合部２４１ｂは、固定縦枠本体２４１の長手方向の端部に形成された切欠部２４１ｃを有する。また、取付部２４１ａは、見付方向の中心部から屋外側に延出した延出部２４１ｄを有する。延出部２４１ｄは、中心部に形成され且つネジ２４７の挿入されるネジ穴２４１ｅと、先端から外側に屈曲して延出する屈曲部２４１ｆと、を有する。
【００６３】
スペーサ２４５は、見付方向に延びる見付面部２４５ａと、見付面部２４５ａよりも屋内側に位置し且つ固定縦枠２４の内部に配置される内側部２４５ｄと、内側部２４５ｄからスペーサ２４５の見付方向の中心側に向かって延出する延出部２４５ｅと、を有する。
蓋部材２４６は、矩形板状の蓋本体部２４６ａと、蓋本体部２４６ａの屋内側端部から鉛直方向に延出する一対の爪部２４６ｂと、ネジ２４７の貫通する孔部２４６ｃと、を有する。
【００６４】
図７は、図５に示した固定縦枠２４の分解正面図（図５の矢視Ｘから見た固定縦枠２４を分解した図）であって、固定縦枠２４の長手方向の全長を示した図である。
図７に示すように、固定縦枠本体２３１，２４１の長手方向の端部は、固定縦枠カバー材２３２，２４２の長手方向の端部より見付方向外側に配置される。より具体的には、固定縦枠カバー材２４２は、固定縦枠本体２４１（固定金属縦枠２４３）よりも、固定縦枠本体２４１（固定金属縦枠２４３）の長手方向の長さが短い。
【００６５】
上記のように、「見付方向」とは、上障子５及び下障子６（戸体４）の面方向であるが、見付方向外側とは、戸体４の中心部よりもより遠い位置であることを示す。具体的には、縦枠の場合には、上端部よりも見付方向外側とは、上端部よりも上側を意味し、下端部よりも見付方向外側とは、下端部よりも下側を意味する。また、横枠の場合には、左端部よりも見付方向外側とは、左端部よりも左側を意味し、右端部よりも見付方向外側とは、右端部よりも右側を意味する。
【００６６】
図８は、固定縦枠２４の平面図であって、図５の矢視Ｙから見た固定縦枠２４から蓋部材２４６を外した図である。図８は、固定縦枠２４のうちスペーサ２４５の配置された部分（取付部２４１ａ）を拡大した図である。
図８に示すように、固定縦枠カバー材２４２は、係合部２４２ｂを被係合部２４１ｂにスナップフィットにより係合することで、固定縦枠本体２４１（固定金属縦枠２４３）に取り付けられる。
また、図８に示すように、内側部２４５ｄによって形成される孔部２４５ｂ，２４５ｃを有する。孔部２４５ｂ，２４５ｃは固定縦枠本体２４１の長手方向に貫通する（図６）。
【００６７】
スペーサ２４５は、固定縦枠本体２４１（取付部２４１ａ）の端部の形状に嵌合する形状を有し且つ固定縦枠本体２４１の端部に嵌合して固定される。具体的には、取付部２４１ａの延出部２４１ｄの先端は、スペーサ２４５の一対の延出部２４５ｅによって見付方向から挟まれる。また、固定縦枠本体２４１の端部に嵌合されたスペーサ２４５は、延出部２４５ｅが屈曲部２４１ｆと見込み方向において当接し、屋外側に移動して外れることはない。
なお、スペーサ２４５の内側部２４５ｄの見付方向における外側端部は、切欠部２４１ｃと固定縦枠本体２４１の長手方向（図８の紙面と垂直の方向）において当接する。
【００６８】
続いて、固定枠体２０の組み立てと、取り付けの手順について簡単に説明する。
まず、固定縦枠本体２３１，２４１の上下端部に、固定縦枠本体２３１，２４１の長手方向から、スペーサ２３５，２４５を嵌合させて取り付ける。この際、固定縦枠本体２３１，２４１に切欠部２３１ｃ，２４１ｃが形成されていることで、スペーサ２３５，２４５の位置決めを容易に行える。
続いて、蓋部材２４６を配置して締結部材としてのネジ２４７によって固定する。
【００６９】
そして、固定上枠カバー材２１２、固定下枠カバー材２２２及び固定縦枠カバー材２３２，２４２の取り付けられていない固定枠体２０を組み立て、建物に形成された開口にネジ１５１，１５２，１５３，１５４（図３及び図４）で取り付けて固定する。
最後に、固定縦枠カバー材２３２，２４２を取り付けてから、固定上枠カバー材２１２、固定下枠カバー材２２２を取り付ける。
【００７０】
本実施形態によれば、以下の効果が奏される。
本実施形態では、固定縦枠本体２３１，２４１の長手方向の端部を、固定縦枠カバー材２３２，２４２の長手方向の端部より見付方向外側に配置した。つまり、本実施形態では、固定縦枠本体２３１，２４１よりも固定縦枠カバー材２３２，２４２の、固定縦枠本体２３１，２４１の長手方向（高さ方向）の長さを短くした。
これにより、火災時に固定縦枠カバー材２３２，２４２が加熱されて長手方向（高さ方向）に伸びたとしても、固定縦枠本体２３１，２４１の端部と固定縦枠カバー材２３２，２４２の端部との間に固定縦枠カバー材２３２，２４２の伸びを許容するスペースがあることから、固定縦枠カバー材２３２，２４２が変形し難くなる。固定縦枠カバー材２３２，２４２の変形を抑えれば、固定縦枠カバー材２３２，２４２と固定縦枠本体２３１，２４１との間に隙間が生じて固定縦枠カバー材２３２，２４２が固定縦枠本体２３１，２４１から脱落することによって、開口部装置の遮炎性が低下するのを抑えることができる。従って、本実施形態によれば、固定縦枠カバー材２３２，２４２が配置されていることから意匠性が高い上に、遮炎性能の高い開口部装置１を提供することができる。
【００７１】
また、本実施形態では、吊元側の固定縦枠２３と戸先側の固定縦枠２４が、長手方向の端部に、固定縦枠カバー材２３２，２４２の長手方向の端面に当接するスペーサ２３５，２４５を更に有するものとした。また、スペーサ２３５，２４５が、加熱時にスペーサ２３５，２４５の伸びを許容ように構成されるものとした。
これにより、開口部装置１の遮炎性を低下させることなく、固定縦枠カバー材２３２，２４２の固定縦枠本体２３１，２４１の長手方向（高さ方向）の位置決めを容易に行うことができる。
【００７２】
また、本実施形態では、スペーサ２３５，２４５を、固定縦枠本体２３１，２４１の端部の形状に嵌合する形状とし、固定縦枠本体２３１，２４１の端部に嵌合して固定した。
これにより、蓋部材２４６によって押さえてネジ止めをしなくても、スペーサ２３５，２４５単独で固定縦枠本体２３１，２４１の端部に嵌合して位置決めできる。従って、開口部装置１は施工性が高い。
【００７３】
また、本実施形態では、スペーサ２３５，２４５が、固定縦枠本体２３１，２４１の長手方向に貫通する孔部２４５ｂ，２４５ｃを有するものとした。
これにより、孔部２４５ｂ，２４５ｃが水抜き穴としての役割を果たす。従って、開口部装置１は、降雨時にも枠体内に水が溜まり難く、樹脂の腐食を抑えることができる。
【００７４】
なお、本発明は上記実施形態に限定されるものではなく、本発明の目的を達成できる範囲での変形、改良等は本発明に含まれる。
上記実施形態では、吊元側の固定縦枠２３及び戸先側の固定縦枠２４のそれぞれの上下に、スペーサ２３５，２４５を配置したが、本発明はこれに限定されない。例えば、固定縦枠本体の端部と固定縦枠カバー材の端部と間にスペーサを配置せずに空間を形成してもよい。この場合には、固定上枠カバー材２１２及び固定下枠カバー材２２２によって、あるいはこれらの一方によって、形成された空間を屋外側から覆うことで意匠性を向上させてもよい。また、縦枠本体の上下方向のどちらか一方又は横枠本体の左右方向のどちらか一方に、枠本体とカバー材の間に形成される空間を配置してもよい。
【００７５】
また、上記実施形態では、シリンダーレス仕様のドアを用いたが、シリンダーを有したドアを用いてもよい。更に、本実施形態における戸体４は、吊り元側を左右反対側にして時計回り回動するドアとしてもよい。
【００７６】
また、上記実施形態では、縦枠本体よりも縦枠のカバー材の、縦枠本体の長手方向の長さを短くしたが、本発明はこれに限定されない。本発明では、左右の縦枠及び上下の横枠のうち少なくとも一つで、枠本体よりもカバー材の、枠本体の長手方向の長さが短ければよい。例えば、横枠本体よりも横枠のカバー材の、横枠本体の長手方向の長さを短くしてもよい。
【００７７】
また、上記実施形態では、カバー材（固定縦枠カバー材２３２，２４２）を矩形板状の部材としたが、本発明はこれに限定されない。本発明では、発明の趣旨を逸脱しない範囲において、所望の形状のカバー材を採用することができる。
【符号の説明】
【００７８】
１…開口部装置
４…戸体
２０…固定枠体（枠体）
２１…固定上枠（上枠）
２２…固定下枠（下枠）
２３，２４…固定縦枠（縦枠）
２３１，２４１…固定縦枠本体（枠本体）
２３２，２４２…固定縦枠カバー材（カバー材）
２４５…スペーサ
２４５ｂ，２４５ｃ…孔部
【図１】
2015221997.tif 000003
【図２】
2015221997.tif 000004
【図３】
2015221997.tif 000005
【図４】
2015221997.tif 000006
【図５】
2015221997.tif 000007
【図６】
2015221997.tif 000008
【図７】
2015221997.tif 000009
【図８】
2015221997.tif 000010